(57)【要約】  ホームＩＭＳネットワーク１１０と訪問先ＩＭＳネットワーク１２０との間で課金情報を共有する通信ネットワーク１００および方法が開示される。セッションの信号メッセージが訪問先ＩＭＳネットワーク１２０で受信された場合、訪問先ＩＭＳネットワーク１２０は、ＩＣＩＤなどの訪問先課金識別子を割り当て、信号メッセージを介して訪問先課金識別子をホームＩＭＳネットワーク１１０と共有する。同様に、ホームＩＭＳネットワーク１１０は、ホーム課金識別子を割り当て、信号メッセージを介してホーム課金識別子を訪問先ＩＭＳネットワーク１２０と共有する。ＣＤＲがホームＩＭＳネットワーク１１０および訪問先ＩＭＳネットワーク１２０で生成されるとき、これらのネットワークは各ＣＤＲにホーム課金識別子および訪問先課金識別子を含め、それにより、請求システム１１６、１２６は、異なるＩＭＳネットワーク１１０、１２０からのＣＤＲをより容易に相関させることができる。
2011501890.tif 000002
【特許請求の範囲】
【請求項１】
ローミングユーザ（１３０）にサービスを提供するように構成された訪問先ＩＭＳネットワーク（１２０）を備える通信ネットワーク（１００）であって、訪問先ＩＭＳネットワーク（１２０）が、
訪問先課金データシステム（１２４）と、
ローミングユーザ（１３０）からセッションの第１の信号メッセージを受信し、セッションに訪問先課金識別子を割り当て、ローミングユーザ（１３０）のホームＩＭＳネットワーク（１１０）に第１の信号メッセージを送信するように構成され、さらに
ホームＩＭＳネットワーク（１１０）のホームネットワーク要素（１１２）からセッションの第２の信号メッセージを受信し、セッションの訪問先課金メッセージを生成し、訪問先課金メッセージを訪問先課金データシステム（１２４）に送信するように構成された訪問先ネットワーク要素（１２２）とを備える通信ネットワーク（１００）において、
訪問先ネットワーク要素（１２２）が、ホームＩＭＳネットワーク（１１０）に送信される第１の信号メッセージに訪問先課金識別子を挿入するようにさらに構成され、
訪問先ネットワーク要素（１２２）が、ホームＩＭＳネットワーク（１１０）から受信した第２の信号メッセージを処理してホームＩＭＳネットワーク（１１０）でセッションに割り当てられたホーム課金識別子を識別するようにさらに構成され、
訪問先ネットワーク要素（１２２）が、ホーム課金識別子および訪問先課金識別子を、訪問先課金データシステム（１２４）に送信される訪問先課金メッセージに挿入するようにさらに構成されることを特徴とする、通信ネットワーク（１００）。
【請求項２】
訪問先課金データシステム（１２４）が、訪問先ネットワーク要素（１２２）から訪問先課金メッセージを受信するように構成され、訪問先課金メッセージを処理してホーム課金識別子および訪問先課金識別子を識別するようにさらに構成され、セッションの訪問先課金データ記録ＣＤＲを生成するようにさらに構成され、ホーム課金識別子および訪問先課金識別子を訪問先ＣＤＲに挿入するようにさらに構成され、訪問先ＣＤＲを訪問先請求システム（１２６）に送信するようにさらに構成された、請求項１に記載の通信ネットワーク（１００）。
【請求項３】
訪問先ネットワーク要素（１２２）が、ホームネットワーク要素（１１２）からの第２の信号メッセージを処理して、ホームネットワーク要素（１１２）によって第２の信号メッセージに挿入されたセッションの追加ホームネットワーク課金情報を識別するようにさらに構成され、追加ホームネットワーク課金情報を訪問先課金メッセージに挿入するようにさらに構成され、
訪問先課金データシステム（１２４）が、訪問先課金メッセージを処理して、セッションの追加ホームネットワーク課金情報を識別するようにさらに構成され、追加ホームネットワーク課金情報を訪問先ＣＤＲに挿入するようにさらに構成された、請求項２に記載の通信ネットワーク（１００）。
【請求項４】
ホーム課金データシステム（１１４）と、
セッションにホーム課金識別子を割り当てるように構成され、ホーム課金識別子を第２の信号メッセージに挿入するようにさらに構成され、第２の信号メッセージを訪問先ＩＭＳネットワーク（１２０）に送信するようにさらに構成されたホームネットワーク要素（１１２）と
を備えるホームＩＭＳネットワーク（１１０）をさらに備える、請求項１に記載の通信ネットワーク（１００）。
【請求項５】
ホームネットワーク要素（１１２）が、訪問先ネットワーク要素（１２２）からセッションの第１の信号メッセージを受信するようにさらに構成され、第１の信号メッセージを処理して、訪問先ＩＭＳネットワーク（１２０）でセッションに割り当てられた訪問先課金識別子を識別するようにさらに構成され、セッションのホーム課金メッセージを生成するようにさらに構成され、訪問先課金識別子およびホーム課金識別子をホーム課金メッセージに挿入するようにさらに構成され、ホーム課金メッセージをホーム課金データシステム（１１４）に送信するようにさらに構成され、
ホーム課金データシステム（１１４）が、ホームネットワーク要素（１１２）からホーム課金メッセージを受信するように構成され、ホーム課金メッセージを処理して訪問先課金識別子およびホーム課金識別子を識別するようにさらに構成され、セッションのホーム課金データ記録ＣＤＲを生成するようにさらに構成され、訪問先課金識別子およびホーム課金識別子をホームＣＤＲに挿入するようにさらに構成され、ホームＣＤＲをホーム請求システム（１１６）に送信するようにさらに構成された、請求項４に記載の通信ネットワーク（１００）。
【請求項６】
ユーザのホームＩＭＳネットワークとローミングしているユーザにサービスを提供している訪問先ＩＭＳネットワークとの間で課金情報を共有する方法であって、
訪問先ＩＭＳネットワークの訪問先ネットワーク要素においてセッションの第１の信号メッセージをローミングユーザから受信することと、
セッションに訪問先課金識別子を割り当てることと、
第１の信号メッセージをホームＩＭＳネットワークに送信することと、
訪問先ネットワーク要素においてセッションの第２の信号メッセージをホームＩＭＳネットワークのホームネットワーク要素から受信することと、
セッションの訪問先課金メッセージを生成することと、
訪問先ＩＭＳネットワークの訪問先課金データシステムに訪問先課金メッセージを送信することとを含む方法において、
ホームＩＭＳネットワーク向けの第１の信号メッセージに訪問先課金識別子を挿入することと、
ホームＩＭＳネットワークから受信した第２の信号メッセージを処理してホームＩＭＳネットワークでセッションに割り当てられたホーム課金識別子を識別することと、
ホーム課金識別子および訪問先課金識別子を、訪問先課金データシステムに送信される訪問先課金メッセージに挿入することとのさらなるステップを特徴とする、方法。
【請求項７】
訪問先課金データシステムにおいて訪問先課金メッセージを訪問先ネットワーク要素から受信することと、
訪問先課金メッセージを処理してホーム課金識別子および訪問先課金識別子を識別することと、
セッションの訪問先課金データ記録ＣＤＲを生成することと、
ホーム課金識別子および訪問先課金識別子を訪問先ＣＤＲに挿入することと、
訪問先ＣＤＲを訪問先請求システムに送信することとをさらに含む、請求項６に記載の方法。
【請求項８】
訪問先ネットワーク要素で第２の信号メッセージを処理して、ホームＩＭＳネットワークによって第２の信号メッセージに挿入されたセッションの追加ホームネットワーク課金情報を識別することと、
追加ホームネットワーク課金情報を訪問先課金メッセージに挿入することと、
訪問先課金データシステムにおいて訪問先課金メッセージを処理してセッションの追加ホームネットワーク課金情報を識別することと、
追加ホームネットワーク課金情報を訪問先ＣＤＲに挿入することとをさらに含む、請求項７に記載の方法。
【請求項９】
ホームネットワーク要素においてセッションにホーム課金識別子を割り当てることと、
ホーム課金識別子を第２の信号メッセージに挿入することと、
第２の信号メッセージを訪問先ＩＭＳネットワークに送信することとをさらに含む、請求項６に記載の方法。
【請求項１０】
ホームネットワーク要素においてセッションの第１の信号メッセージを訪問先ネットワーク要素から受信することと、
第１の信号メッセージを処理して、訪問先ＩＭＳネットワークでセッションに割り当てられた訪問先課金識別子を識別することと、
セッションのホーム課金メッセージを生成することと、
訪問先課金識別子およびホーム課金識別子をホーム課金メッセージに挿入することと、
ホーム課金メッセージをホーム課金データシステムに送信することと、
ホーム課金データシステムにおいてホーム課金メッセージを処理して訪問先課金識別子およびホーム課金識別子を識別することと、
セッションのホーム課金データ記録ＣＤＲを生成することと、
訪問先課金識別子およびホーム課金識別子をホームＣＤＲに挿入することと、
ホームＣＤＲをホーム請求システムに送信することとをさらに含む、請求項６に記載の方法。
【発明の詳細な説明】
【技術分野】
【０００１】
本発明は、通信ネットワークの分野、具体的にはＩＭＳネットワークにおけるローミングユーザへの課金を改善することに関する。
【背景技術】
【０００２】
モバイル通信は、モバイルユーザがローミングする状況を可能にする。ローミングは、モバイル通信では一般的な用語であり、サービスが登録されたホームロケーション（発信側）とは異なる場所でサービスを提供することを意味する。「ローミング」という用語はＧＳＭの世界に由来しており、ＧＳＭの世界においてローミングは、携帯電話の顧客がホームネットワークの地理的対象エリアの外に出たときに、訪問先のネットワークを使用して自動的に音声通話を発信および受信し、データを送受信し、または他のサービスにアクセスすることができる能力として定義されている。
【０００３】
モバイルユーザがＧＳＭネットワークやＣＤＭＡネットワークといった訪問先のセルラネットワークにローミングする場合、訪問先セルラネットワークの移動交換局（ＭＳＣ）がローミングユーザに通話サービスを提供する。ローミングユーザが電話をかける場合、サービスを提供するＭＳＣは、通話の課金情報を収集し、課金明細記録（ＣＤＲ）を生成する。次いでサービス提供ＭＳＣは、ＣＤＲを訪問先セルラネットワークの請求システムに送信する。次いで請求システムは、通話に対する適正な請求額を決定する。また、訪問先セルラネットワークの請求システムは、２つのサービスプロバイダ間の合意に基づきホーム（発信側）のセルラネットワークの請求システムで請求額を決済する。ＣＤＭＡネットワークでは、請求システムはセルラインターキャリア請求交換ローマ（Ｃｅｌｌｕｌａｒ  Ｉｎｔｅｒｃａｒｒｉｅｒ  Ｂｉｌｌｉｎｇ  Ｅｘｃｈａｎｇｅ  Ｒｏａｍｅｒ）（ＣＩＢＥＲ）を使用して、課金情報を交換する。ＧＳＭネットワークでは、請求システムは移動アカウント手順（Ｔｒａｎｓｆｅｒｒｅｄ  Ａｃｃｏｕｎｔ  Ｐｒｏｃｅｄｕｒｅ）（ＴＡＰ）を使用して、課金情報を交換する。請求額が決済されると、訪問先セルラネットワークとホームセルラネットワークは通常、通話収益を分ける。
【０００４】
人気を得ている通信ネットワークの１つに、ＩＰマルチメディアサブシステム（ＩＭＳ）ネットワークがある。第３世代パートナーシッププロジェクト（３ＧＰＰ）に定められているとおり、ＩＭＳは様々な種類のアクセスネットワークを許容するネットワークアーキテクチャを有する共通の中核ネットワークを提供する。通信機器とＩＭＳネットワークとの間のアクセスネットワークは、セルラネットワーク（例：ＣＤＭＡ、またはＧＳＭ）、ＷＬＡＮ（例：ＷｉＦｉ、またはＷｉＭＡＸ）、イーサネット（登録商標）ネットワーク、または他の種類の無線もしくは有線のアクセスネットワークであってよい。インターネットプロトコル（ＩＰ）ネットワークがビデオ、音声およびデータを送信する上でコストを最も節約できるベアラネットワークになる中、ＩＰネットワークを介して通信機器にマルチメディアサービスを提供するＩＭＳアーキテクチャは、３ＧＰＰによって最初に定められた。サービスプロバイダは、次世代ネットワークが進化する中でこのアーキテクチャを受け入れている。
【０００５】
通信機器は、ＩＭＳネットワークからサービスを受信する前に、ＩＭＳネットワークへの登録を試みる。通信機器は、３ＧＰＰ標準に従い登録するため、適切なアクセスネットワークを介してＳＩＰ  ＲＥＧＩＳＴＥＲメッセージなどの登録要求メッセージをプロキシコールセッション制御機能（Ｐ−ＣＳＣＦ）に送信する。Ｐ−ＣＳＣＦは、通信機器のホームＩＭＳネットワークを識別し、ユーザのホームＩＳＭネットワークのサービングコールセッション制御機能（Ｓ−ＣＳＣＦ）に別の登録要求メッセージを送信する。登録要求メッセージに対してＳ−ＣＳＣＦは、通信機器の認証データを取り出すため、Ｄｉａｍｅｔｅｒマルチメディア認証リクエスト（Ｍｕｌｔｉｍｅｄｉａ  Ａｕｔｈｅｎｔｉｃａｔｉｏｎ  Ｒｅｑｕｅｓｔ）（ＭＡＲ）メッセージなどの認証要求メッセージを生成する。次いでＳ−ＣＳＣＦは、適切な認証方法を用いて通信機器を認証する。通信機器が認証された場合、Ｓ−ＣＳＣＦはＤｉａｍｅｔｅｒサーバ割り当てリクエスト（Ｓｅｒｖｅｒ  Ａｓｓｉｇｎｍｅｎｔ  Ｒｅｑｕｅｓｔ）（ＳＡＲ）メッセージなどの加入者プロファイル要求メッセージを生成し、加入者プロファイル要求メッセージをＨＳＳに送信する。加入者プロファイル要求メッセージに対応して、ＨＳＳは通信機器ユーザの加入者プロファイルを識別する。次いでＨＳＳは、通信機器ユーザの加入者プロファイルを含むＤｉａｍｅｔｅｒサーバ割り当て回答（Ｓｅｒｖｅｒ  Ａｓｓｉｇｎｍｅｎｔ  Ａｎｓｗｅｒ）（ＳＡＡ）メッセージなどの応答メッセージをＳ−ＣＳＣＦに送信する。次いでＳ−ＣＳＣＦは、加入者プロファイルを処理して通信機器にサービスを提供することができる。
【０００６】
モバイルユーザが訪問先ＩＭＳネットワークのサービスエリアでローミングしているとき、訪問先ＩＭＳネットワークはセッションのコール制御を行わない。ローミングセッションが開始されると、訪問先ＩＭＳネットワークのＰ−ＣＳＣＦは、当該セッションのセッション開始メッセージ（例：ＳＩＰ  ＩＮＶＩＴＥメッセージ）を受信する。Ｐ−ＣＳＣＦは、セッション開始メッセージをＳ−ＣＳＣＦに転送することによって、モバイルユーザのホームＩＭＳネットワークのＳ−ＣＳＣＦに当該セッションのセッション制御を依頼する（ｐｒｏｘｉｅｓ）。次いで、ホームＩＭＳネットワークのＳ−ＣＳＣＦは、当該セッションのセッション制御を行う。
【０００７】
セッション制御を行っている間、ホームＩＭＳネットワークのＳ−ＣＳＣＦは課金制御も行う。セッション開始時に、Ｓ−ＣＳＣＦは当該セッションのホームＩＭＳ課金識別子（ＩＣＩＤ）を生成する。Ｓ−ＣＳＣＦはまた、Ｄｉａｍｅｔｅｒアカウンティングリクエスト（Ａｃｃｏｕｎｔｉｎｇ  Ｒｅｑｕｅｓｔ）（ＡＣＲ［ｓｔａｒｔ］）メッセージなどの課金開始（ｓｔａｒｔ）メッセージをホームＩＭＳネットワークの課金データ機能（ＣＤＦ）に送信する。セッション中に一定の間隔で、Ｓ−ＣＳＣＦは、Ｄｉａｍｅｔｅｒ  ＡＣＲ［ｉｎｔｅｒｉｍ］メッセージなどの課金中間（ｉｎｔｅｒｉｍ）メッセージをホームＩＭＳネットワークのＣＤＦに送信する。セッションの終わりに、Ｓ−ＣＳＣＦは、Ｄｉａｍｅｔｅｒ  ＡＣＲ［ｓｔｏｐ］メッセージなどの課金停止（ｓｔｏｐ）メッセージをホームＩＭＳネットワークのＣＤＦに送信する。ＡＣＲメッセージはセッションのホームＩＣＩＤを全て含み、それによりＡＣＲメッセージは相関が可能になる。
【０００８】
Ｓ−ＣＳＣＦから受信したＡＣＲ［ｓｔａｒｔ，ｉｎｔｅｒｉｍ，ｓｔｏｐ］メッセージに基づき、ＣＤＦはＡＣＲメッセージに含まれている課金情報に基づきセッションの課金データ記録（ＣＤＲ）を生成する。課金情報は、当該セッションのサービス提供開始のタイムスタンプ、当該セッションのサービス提供停止のタイムスタンプ、当該セッションの宛先などを含むことができる。次いでＣＤＦは、ＣＤＲをホームＩＭＳネットワークの請求システムに送信する。次いで請求システムは、ＣＤＲに基づき当該セッションの課金を決定することができる。
【０００９】
訪問先ＩＭＳネットワークのＰ−ＣＳＣＦはまた、セッションの課金制御を行うこともできる。Ｐ−ＣＳＣＦは当該セッションの訪問先ＩＭＳ課金識別子（ＩＣＩＤ）を生成する。Ｐ−ＣＳＣＦは、Ｄｉａｍｅｔｅｒ  ＡＣＲ［ｓｔａｒｔ，ｉｎｔｅｒｉｍ，ｓｔｏｐ］メッセージなどの当該セッションの課金メッセージを生成した場合、ＡＣＲメッセージを訪問先ＩＭＳネットワークのＣＤＦに送信する。ＡＣＲメッセージは当該セッションの訪問先ＩＣＩＤを全て含み、これによりＡＣＲメッセージは相関が可能になる。
【００１０】
Ｐ−ＣＳＣＦから受信したＡＣＲ［ｓｔａｒｔ，ｉｎｔｅｒｉｍ，ｓｔｏｐ］メッセージに基づき、訪問先ＩＭＳネットワークのＣＤＦは、ＡＣＲメッセージに含まれている課金情報に基づき当該セッションのＣＤＲを生成する。次いでＣＤＦは、ＣＤＲを訪問先ＩＭＳネットワークの請求システムに送信する。次いで請求システムは、ＣＤＲに基づき当該セッションの課金を決定することができる。
【発明の概要】
【発明が解決しようとする課題】
【００１１】
現在のＩＭＳネットワークにおける１つの問題は、ホームＩＭＳネットワークおよび訪問先ＩＭＳネットワークからの課金情報を相関させる効果的な方法がないことである。ホームＩＭＳネットワークのＳ−ＣＳＣＦは固有のホームＩＣＩＤを生成し、訪問先ＩＭＳネットワークのＰ−ＣＳＣＦは同じセッションに対して別の固有の訪問先ＩＣＩＤを生成する。そのため、ホームＩＭＳネットワークの請求システムはホームＩＣＩＤに基づきセッションを識別し、訪問先ＩＭＳネットワークの請求システムは訪問先ＩＣＩＤに基づき同じセッションを識別する。同じセッションに対して異なるＩＣＩＤがあるため、２つの請求システムが各ＩＭＳネットワークで生成された課金情報を相関させて当該セッションの請求額を決済するのは難しい。
【００１２】
現在のＩＭＳネットワークにおけるもう１つの問題は、訪問先ＩＭＳネットワークのＰ−ＣＳＣＦがセッションに全く関わっていない場合や、当該セッションについての適切または必要な課金情報を持っていない場合があることである。セッション制御はホームＩＭＳネットワークで行われているため、ホームＩＭＳネットワークは当該セッションについての必要な課金情報を持っている。Ｐ−ＣＳＣＦは、課金情報をある程度持っていることもあるが、ＣＤＦが完全なＣＤＲを生成できるようにＣＤＦに提供すべき必要な情報を持っていないこともある。その結果、訪問先ＩＭＳネットワークの請求システムは当該セッションの請求額を計算できないことがある。訪問先ＩＭＳネットワークを運営するサービスプロバイダは、適切な合意に基づき当該セッションの適正な収益を分けるにあたりホームＩＭＳネットワークの請求システムに依存せざるを得ない。訪問先ＩＭＳネットワークを運営するサービスプロバイダは、ホームＩＭＳネットワークの請求額を検証することや、ホームＩＭＳネットワークが適切な収益を分けているか否かを判断することが残念ながらできない場合がある。
【課題を解決するための手段】
【００１３】
本発明の実施形態は、ホームＩＭＳネットワークおよび訪問先ＩＭＳネットワークに、セッションに割り当てられるＩＣＩＤなどの課金識別子を互いに共有させることによって、上記および他の関連する問題を解決する。例えば、ホームＩＭＳネットワークは、セッションにホーム課金識別子を割り当て、ホーム課金識別子を訪問先ＩＭＳネットワークと共有する。同様に、訪問先ＩＭＳネットワークは、当該セッションに訪問先課金識別子を割り当て、訪問先課金識別子をホームＩＭＳネットワークと共有する。次いで、ホームＩＭＳネットワークおよび訪問先ＩＭＳネットワークはそれぞれ、ホーム課金識別子および訪問先課金識別子をＣＤＲに挿入し、それにより課金識別子に従ってホームＩＭＳネットワークのＣＤＲが訪問先ＩＭＳネットワークのＣＤＲと相関できるようにする。こうして、これらのＩＭＳネットワークの請求システムは当該セッションの請求額の決済を一層容易に行うことができる。
【００１４】
さらに、ホームＩＭＳネットワークおよび訪問先ＩＭＳネットワークは、セッションの追加課金情報を共有または交換することができる。その結果、ホームＩＭＳネットワークおよび訪問先ＩＭＳネットワークはいずれも、当該セッションの完全なＣＤＲを生成するための適正な情報を持つことになる。訪問先ＩＭＳネットワークは、ホーム請求システムによって計算された請求額を有利に検証することができ、逆もまた同様である。
【００１５】
１つの実施形態では、訪問先ＩＭＳネットワークは訪問先ネットワーク要素（例：Ｐ−ＣＳＣＦ）および訪問先課金データシステム（例：ＣＤＦ）を含む。訪問先ネットワーク要素は、セッションの信号メッセージを受信し、当該セッションに訪問先課金識別子を割り当てるように構成される。訪問先課金識別子の一例は、訪問先ＩＣＩＤである。訪問先ネットワーク要素はさらに、訪問先課金識別子を信号メッセージに挿入し、信号メッセージをホームＩＭＳネットワークに送信するように構成される。信号メッセージの受信に対応して、ホームＩＭＳネットワークのネットワーク要素は、信号メッセージを処理して訪問先課金識別子を識別し、訪問先課金識別子を保存するように構成される。
【００１６】
同様に、ホームＩＭＳネットワークはホームネットワーク要素（例：Ｓ−ＣＳＣＦ）およびホーム課金データシステム（例：ＣＤＦ）を含む。ホームネットワーク要素は、当該セッションの信号メッセージを受信し、当該セッションにホーム課金識別子を割り当てるように構成される。ホームネットワーク要素はさらに、ホーム課金識別子を信号メッセージに挿入し、信号メッセージを訪問先ＩＭＳネットワークに送信するように構成される。信号メッセージの受信に対応して、訪問先ネットワーク要素は、信号メッセージを処理してホーム課金識別子を識別し、ホーム課金識別子を保存するように構成される。
【００１７】
課金が当該セッションにとって適切なときに、訪問先ネットワーク要素は、Ｄｉａｍｅｔｅｒアカウンティングリクエスト（ＡＣＲ）メッセージなどの当該セッションの課金メッセージを生成するように構成される。訪問先ネットワーク要素はさらに、ホーム課金識別子および訪問先課金識別子を課金メッセージに挿入し、課金メッセージを訪問先課金データシステムに送信するように構成される。訪問先課金データシステムは、当該セッションの訪問先ＣＤＲを生成し、ホーム課金識別子および訪問先課金識別子を訪問先ＣＤＲに挿入し、訪問先ＣＤＲを訪問先ＩＭＳネットワークの請求システムに送信するように構成される。
【００１８】
ホームＩＭＳネットワークにおいて課金が当該セッションにとって適切なときに、ホームネットワーク要素は、当該セッションの課金メッセージを生成するように構成される。ホームネットワーク要素はさらに、ホーム課金識別子および訪問先課金識別子を課金メッセージに挿入し、課金メッセージをホーム課金データシステムに送信するように構成される。ホーム課金データシステムは、当該セッションのホームＣＤＲを生成し、ホーム課金識別子および訪問先課金識別子をホームＣＤＲに挿入し、ホームＣＤＲをホームＩＭＳネットワークの請求システムに送信するように構成される。
【００１９】
ホームＣＤＲおよび訪問先ＣＤＲに含まれているホーム課金識別子および訪問先課金識別子に基づき、ホームＩＭＳネットワークおよび訪問先ＩＭＳネットワークの請求システムは、当該セッションのＣＤＲを有効に相関させることができる。その結果、当該セッションに関してより正確な課金を実現することができる。
【００２０】
本発明は、以下で説明する他の例示的な実施形態を含むことができる。
【００２１】
全ての図面において、同じ参照番号は同じ要素または同じ種類の要素を表す。
【図面の簡単な説明】
【００２２】
【図１】本発明の例示的な実施形態における通信ネットワークを示す図である。
【図２】本発明の例示的な実施形態において、訪問先ＩＭＳネットワークのＩＣＩＤをホームＩＭＳネットワークと共有する方法を示す流れ図である。
【図３】本発明の例示的な実施形態において、ホームＩＭＳネットワークで訪問先ＩＣＩＤを処理する方法を示す流れ図である。
【図４】本発明の例示的な実施形態において、ホームＩＭＳネットワークのホーム課金識別子を訪問先ＩＭＳネットワークと共有する方法を示す流れ図である。
【図５】本発明の例示的な実施形態において、訪問先ＩＭＳネットワークでホーム課金識別子を処理する方法を示す流れ図である。
【図６】本発明の例示的な実施形態において、追加課金情報を共有する方法を示す流れ図である。
【図７】本発明の例示的な実施形態において、追加課金情報を共有する別の方法を示す流れ図である。
【図８】本発明の例示的な実施形態において、ホームＩＭＳネットワークで課金メッセージを生成する方法を示す流れ図である。
【図９】本発明の例示的な実施形態において、ホームＩＭＳネットワークでＣＤＲを生成する方法を示す流れ図である。
【図１０】本発明の例示的な実施形態において、訪問先ＩＭＳネットワークで課金メッセージを生成する方法を示す流れ図である。
【図１１】本発明の例示的な実施形態において、訪問先ＩＭＳネットワークでＣＤＲを生成する方法を示す流れ図である。
【図１２】本発明の例示的な実施形態における別の通信ネットワークを示す図である。
【図１３】本発明の例示的な実施形態において、セッションの起点側でホームＩＭＳネットワークと訪問先ＩＭＳネットワークとの間で課金情報を共有することを示すメッセージ図である。
【発明を実施するための形態】
【００２３】
図１から図１３および以下の説明は、本発明の生成および使用の方法を当業者に教示するために本発明の特定の例示的実施形態を示している。発明の原理を教示するという目的上、本発明のいくつかの従来型態様は簡略化または省略されている。当業者は、本発明の範囲内にある、これらの実施形態の変形を理解しよう。当業者は、本発明の複数の変形を作成するために様々な方法で後述の特徴を結合できることを理解しよう。したがって、本発明は後述の特定の実施形態に限定されず、特許請求の範囲およびその等価物によってのみ限定される。
【００２４】
図１は、本発明の例示的な実施形態における通信ネットワーク１００を示している。通信ネットワーク１００は、ホームＩＭＳネットワーク１１０および訪問先ＩＭＳネットワーク１２０を含む。ホームＩＭＳネットワークは、特定のユーザがサービスに登録または加入しているＩＭＳネットワークを備える。訪問先ＩＭＳネットワークは、特定のユーザがサービスに登録または加入していないＩＭＳネットワークを備えるが、当該ユーザがローミングしている間に当該ユーザにサービスを提供している。
【００２５】
ホームＩＭＳネットワーク１１０は、ホームネットワーク要素１１２、ホーム課金データシステム１１４およびホーム請求システム１１６を含む。ネットワーク要素１１２は、ホームＩＭＳネットワーク１１０においてセッション制御またはセッション向けサービスを提供するように構成されたシステム、サーバまたは機能を備える。ネットワーク要素１１２の一例として、サービングコールセッション制御機能（Ｓ−ＣＳＣＦ）がある。課金データシステム１１４は、ホームＩＭＳネットワーク１１０においてネットワーク要素１１２から課金メッセージを受信し、セッションの課金データ記録（ＣＤＲ）を生成するように構成されたシステム、サーバまたは機能を備える。例えば、課金データシステム１１４は、３ＧＰＰがリリース６で定めているような課金データ機能（ＣＤＦ）、または３ＧＰＰがリリース５で定めているような課金収集機能（ＣＣＦ）を備えることができる。請求システム１１６は、ホームＩＭＳネットワーク１１０においてセッションの請求額を生成または決定するためＣＤＲを処理するように構成されたシステム、サーバまたは機能を備える。
【００２６】
訪問先ＩＭＳネットワーク１２０は、訪問先ネットワーク要素１２２、訪問先課金データシステム１２４および訪問先請求システム１２６を含む。ネットワーク要素１２２は、訪問先ＩＭＳネットワーク１２０においてセッション制御またはセッション向けサービスを提供するように構成されたシステム、サーバまたは機能を備える。ネットワーク要素１２２の一例として、プロキシコールセッション制御機能（Ｐ−ＣＳＣＦ）がある。課金データシステム１２４は、訪問先ＩＭＳネットワーク１２０においてネットワーク要素１２２から課金メッセージを受信し、セッションの課金データ記録（ＣＤＲ）を生成するように構成されたシステム、サーバまたは機能を備える。請求システム１２６は、訪問先ＩＭＳネットワーク１２０においてセッションの請求額を生成または決定するためＣＤＲを処理するように構成されたシステム、サーバまたは機能を備える。
【００２７】
この実施形態では、ＩＭＳユーザ１３０はホームＩＭＳネットワーク１１０でサービスに登録または加入しているが、訪問先ＩＭＳネットワーク１２０でローミングしていることを想定している。ユーザ１３０は、適切に装備された通信機器または通信用のユーザ装置（ＵＥ）を持っている。また、ユーザ１３０が訪問先ＩＭＳネットワーク１２０でローミング中にセッションを開始することやセッションに招待されることも前提としている。本明細書で説明する実施形態に従い、ホームＩＭＳネットワーク１１０は、ＩＭＳ課金識別子（ＩＣＩＤ）などの課金識別子を訪問先ＩＭＳネットワーク１２０と交換または共有し、それによりホームＩＭＳネットワーク１１０および訪問先ＩＭＳネットワーク１２０からのＣＤＲが相関して当該セッションの請求額を決済することができる。ホームＩＭＳネットワーク１１０および訪問先ＩＭＳネットワーク１２０はまた、追加課金情報を交換または共有することもでき、それによりＩＭＳネットワーク１１０および１２０はいずれも、セッションの完全なＣＤＲを生成するための必要な課金情報を持つことになる。こうして、一方のＩＭＳネットワークは他方のＩＭＳネットワークの請求額を検証することができる。ＩＭＳネットワーク１１０および１２０の処理について、以下の流れ図で説明する。
【００２８】
図２は、本発明の例示的な実施形態において、訪問先ＩＭＳネットワーク１２０の課金識別子をホームＩＭＳネットワーク１１０と共有する方法２００を示す流れ図である。方法２００のステップを、図１の通信ネットワーク１００に言及して説明する。図２の流れ図のステップは全てを含むものではなく、図示していない他のステップを含むことができる。
【００２９】
方法２００のステップ２０２において、訪問先ＩＭＳネットワーク１２０のネットワーク要素１２２は、ユーザ１３０が関与するセッションの信号メッセージを受信する。例えば、ネットワーク要素１２２は、ユーザ１３０によって開始されているセッションのＳＩＰ  ＩＮＶＩＴＥメッセージを受信することがある。ステップ２０４において、ネットワーク要素１２２は当該セッションに訪問先課金識別子を割り当てる。訪問先課金識別子は、番号、コード、ストリングなどを備え、訪問先ＩＭＳネットワーク１２０で割り当てられ、訪問先ＩＭＳネットワーク１２０で使用されて当該セッションの課金情報を相関させる。訪問先課金識別子の一例は、訪問先ＩＭＳ課金識別子（ＩＣＩＤ）である。ステップ２０６において、ネットワーク要素１２２は、訪問先課金識別子を信号メッセージに挿入する。例えば、ＳＩＰメッセージに訪問先課金識別子を挿入するために、訪問先課金識別子用にＳＩＰメッセージの課金ベクトル（Ｐ−Ｃｈａｒｇｉｎｇ−Ｖｅｃｔｏｒ）に新しいＡＶＰを定めることができる。次いでネットワーク要素１２２は、ＳＩＰメッセージの新しいＡＶＰに訪問先課金識別子を挿入することができる。ネットワーク要素１２２は、ステップ２０２で受信した同じ信号メッセージに訪問先課金識別子を挿入すること、または別の信号メッセージを生成することができる。例えば、ネットワーク要素１２２は、当該セッションの新しいＳＩＰ  ＩＮＶＩＴＥメッセージを生成し、新しいＩＮＶＩＴＥメッセージに訪問先課金識別子を挿入することができる。ステップ２０８において、ネットワーク要素１２２は、ホームＩＭＳネットワーク１１０のネットワーク要素１１２に信号メッセージを送信する。
【００３０】
図３は、本発明の例示的な実施形態において、ホームＩＭＳネットワーク１１０で訪問先課金識別子を処理する方法３００を示す流れ図である。方法３００のステップを、図１の通信ネットワーク１００に言及して説明する。図３の流れ図のステップは全てを含むものではなく、図示していない他のステップを含むことができる。
【００３１】
方法３００のステップ３０２において、ネットワーク要素１１２はネットワーク要素１２２から信号メッセージを受信する。ステップ３０４において、ネットワーク要素１１２は、信号メッセージを処理して信号メッセージに挿入されている訪問先課金識別子を識別する。例えば、ネットワーク要素１１２は、ＳＩＰメッセージの課金ベクトルを処理して訪問先課金識別子を識別することができる。ステップ３０６において、ネットワーク要素１１２は、当該セッションの訪問先課金識別子を、後で当該セッションの課金メッセージを生成する際に使用するために保存する。
【００３２】
同様に、ホームＩＭＳネットワーク１１０は、ホーム課金識別子を訪問先ＩＭＳネットワーク１２０と共有する。図４は、本発明の例示的な実施形態において、ホームＩＭＳネットワーク１１０のホーム課金識別子を訪問先ＩＭＳネットワーク１２０と共有する方法４００を示す流れ図である。方法４００のステップを、図１の通信ネットワーク１００に言及して説明する。図４の流れ図のステップは全てを含むものではなく、図示していない他のステップを含むことができる。
【００３３】
図４のステップ４０２において、ネットワーク要素１１２はセッションの信号メッセージを受信する。例えば、ネットワーク要素１１２は、図３のステップ３０２のように訪問先ＩＭＳネットワーク１２０から信号メッセージを受信することができ、ネットワーク要素１１２はこれにより、ユーザ１３０についてセッションが開始されていることを確認することができる。ステップ４０４において、ネットワーク要素１１２は、当該セッションにホーム課金識別子を割り当てる。ホーム課金識別子は、番号、コード、ストリングなどを備え、ホームＩＭＳネットワーク１１０で割り当てられ、ホームＩＭＳネットワーク１１０で使用して当該セッションの課金情報を相関させる。ホーム課金識別子の一例は、ホームＩＭＳ課金識別子（ＩＣＩＤ）である。この実施形態では、ネットワーク要素１１２は、訪問先課金識別子をホーム課金識別子として再利用すること、または固有のホーム課金識別子を生成することができる。ステップ４０６において、ネットワーク要素１１２は、当該セッションの信号メッセージにホーム課金識別子を挿入する。ここでも、例えばＳＩＰメッセージにホーム課金識別子を挿入するために、ホーム課金識別子用にＳＩＰメッセージの課金ベクトルに新しいＡＶＰを定めることができる。次いでネットワーク要素１１２は、ＳＩＰメッセージの新しいＡＶＰにホーム課金識別子を挿入することができる。ステップ４０８において、ネットワーク要素１１２は訪問先ＩＭＳネットワーク１２０のネットワーク要素１２２に信号メッセージを送信する。
【００３４】
図５は、本発明の例示的な実施形態において、訪問先ＩＭＳネットワーク１２０でホーム課金識別子を処理する方法５００を示す流れ図である。方法５００のステップを、図１の通信ネットワーク１００に言及して説明する。図５の流れ図のステップは全てを含むものではなく、図示していない他のステップを含むことができる。
【００３５】
方法５００のステップ５０２において、ネットワーク要素１２２はネットワーク要素１１２から信号メッセージを受信する。ステップ５０４において、ネットワーク要素１２２は、信号メッセージを処理して信号メッセージに挿入されているホーム課金識別子を識別する。例えば、ネットワーク要素１２２は、ＳＩＰメッセージの課金ベクトルを処理してホーム課金識別子を識別することができる。ステップ５０６において、ネットワーク要素１２２は当該セッションのホーム課金識別子を、後で当該セッションの課金メッセージを生成する際に使用するために保存する。
【００３６】
上記の流れ図は、ホームＩＭＳネットワーク１１０と訪問先ＩＭＳネットワーク１２０との間でホーム課金子識別子および訪問先課金識別子を共有することを示している。課金識別子の共有に加えて、ホームＩＭＳネットワーク１１０および訪問先ＩＭＳネットワーク１２０は、追加課金情報をさらに共有することもできる。追加課金情報は、ＩＭＳネットワークで生成され課金目的で使用される課金識別子以外のあらゆる情報を指す。図６および図７は、追加課金情報を共有する方法を示している。
【００３７】
図６は、本発明の例示的な実施形態において、追加課金情報を共有する方法６００を示す流れ図である。方法６００のステップを、図１の通信ネットワーク１００に言及して説明する。図６の流れ図のステップは全てを含むものではなく、図示していない他のステップを含むことができる。
【００３８】
方法６００のステップ６０２において、ネットワーク要素１２２は、セッションの追加課金情報を識別する。追加課金情報の一例として、訪問先ＩＭＳネットワーク１２０において当該セッションにつき生成されるサービス提供のタイムスタンプがある。追加課金情報の他の例を以下に示す。ステップ６０４において、ネットワーク要素１２２は、当該セッションの信号メッセージに追加課金情報を挿入する。例えばＳＩＰメッセージに追加課金情報を挿入するために、追加課金情報用にＳＩＰメッセージの課金ベクトルに新しいＡＶＰを定めることができる。次いでネットワーク要素１２２は、ＳＩＰメッセージの新しいＡＶＰに追加課金情報を挿入することができる。ネットワーク要素１２２は、図２のステップ２０４のように訪問先課金識別子として同じ信号メッセージに追加課金情報を挿入することができる。ステップ６０８において、ネットワーク要素１２２はホームＩＭＳネットワーク１１０のネットワーク要素１１２に信号メッセージを送信する。
【００３９】
図７は、本発明の例示的な実施形態において、追加課金情報を共有する別の方法７００を示す流れ図である。方法７００のステップを、図１の通信ネットワーク１００に言及して説明する。図７の流れ図のステップは全てを含むものではなく、図示していない他のステップを含むことができる。
【００４０】
方法７００のステップ７０２において、ネットワーク要素１１２はネットワーク要素１２２から信号メッセージを受信する。ステップ７０４において、ネットワーク要素１１２は信号メッセージを処理して信号メッセージに挿入されている追加課金情報を識別する。ステップ７０６において、ネットワーク要素１１２はセッションの追加課金情報を、後で当該セッションの課金メッセージを生成する際に使用するために保存する。
【００４１】
図６および図７の同じ方法を使用して、ホームＩＭＳネットワーク１１０と訪問先ＩＭＳネットワーク１２０との間で追加課金情報を共有するのに使用することができる。以下は追加課金情報を共有するいくつかの例である。１つの例では、ネットワーク要素１２２は、セッションのアクセスネットワーク課金識別子（ＡＮＣＩＤ）を含む当該セッションの信号メッセージを受信することを想定している。図１のユーザ１３０によって使用されるアクセスネットワークは、当該セッションに対して追加的に課金できるＷｉＦｉネットワーク、セルラネットワークなどを含む。ＡＮＣＩＤは、当該セッションにつきＩＭＳの課金データとアクセスネットワークの課金データを相関させるために使用される。ユーザ１３０がローミングし、訪問先ＩＭＳネットワーク１２０と結び付いたアクセスネットワークを通じてアクセスを得ているとき、ホームＩＭＳネットワーク１１０は当該セッションのＡＮＣＩＤを識別できないこともある。図６および図７の実施形態により、ネットワーク要素１２２が当該セッションの信号メッセージを受信するとき、信号メッセージは、当該セッションのＡＮＣＩＤを含むことができる。これにより、ネットワーク要素１２２は信号メッセージの中のＡＮＣＩＤを識別し（ステップ６０２参照）、ホームＩＭＳネットワーク１１０向けの信号メッセージにＡＮＣＩＤを挿入し（ステップ６０４参照）、信号メッセージをホームＩＭＳネットワーク１１０に送信する（ステップ６０６参照）ことができる。次いで、ホームＩＭＳネットワーク１１０のネットワーク要素１１２は、信号メッセージを受信し（ステップ７０２参照）、信号メッセージを処理してＡＮＣＩＤを識別し（ステップ７０４参照）、ＡＮＣＩＤを保存する（ステップ７０６参照）ことができる。
【００４２】
別の例では、ホームＩＭＳネットワーク１１０および訪問先ＩＭＳネットワーク１２０は、ＩＭＳユーザセッション識別子を共有することができる。セッションの開始に伴い、ホームＩＭＳネットワーク１１０および訪問先ＩＭＳネットワーク１２０はいずれも、当該セッションについて固有のＩＭＳユーザセッション識別子を生成する。これはＩＣＩＤに加えて生成される。図６および図７の実施形態により、ホームＩＭＳネットワーク１１０および訪問先ＩＭＳネットワーク１２０は、それぞれのＩＭＳユーザセッションＩＤを信号メッセージを介して共有することができる。
【００４３】
別の例では、ホームＩＭＳネットワーク１１０および訪問先ＩＭＳネットワーク１２０は事業者間識別子（ＩＯＩ）を共有することができる。ＩＯＩは、セッションの起点ネットワークおよび終点ネットワークを定める。ホームＩＭＳネットワーク１１０および訪問先ＩＭＳネットワーク１２０はこれにより、信号メッセージを介してＩＯＩを共有することができる。
【００４４】
別の例では、ホームＩＭＳネットワーク１１０および訪問先ＩＭＳネットワーク１２０は、セッションのサービス提供のタイムスタンプを共有することができる。訪問先ＩＭＳネットワーク１２０のネットワーク要素１２２がＤｉａｍｅｔｅｒ  ＡＣＲ［ｓｔａｒｔ］メッセージなどのセッションの最初の課金メッセージを生成する場合、ネットワーク要素１２２は、サービス提供開始のタイムスタンプを生成する。また、ネットワーク要素１２２がＤｉａｍｅｔｅｒ  ＡＣＲ［ｓｔｏｐ］メッセージなどのセッションの最後の課金メッセージを生成する場合、ネットワーク要素１２２は、サービス提供停止のタイムスタンプを生成する。ホームＩＭＳネットワーク１１０のネットワーク要素１１２は、課金メッセージ用に同様のサービス提供のタイムスタンプを生成する。これらと他のタイムスタンプが生成されるとき、ホームＩＭＳネットワーク１１０および訪問先ＩＭＳネットワーク１２０は、信号メッセージを介してこれらのタイムスタンプを共有することができる。ホームＩＭＳネットワーク１１０および訪問先ＩＭＳネットワーク１２０は、ユーザ１３０のＩＰアドレス、ユーザ１３０がローミングしていることの表示、アクセスゲートウェイ（ＧＧＳＮ／ＳＧＳＮ）アドレスなどの他の課金情報を共有することができる。
【００４５】
セッションのサービス提供中のある時点で、ネットワーク要素１１２およびネットワーク要素１２２は、Ｄｉａｍｅｔｅｒ  ＡＣＲメッセージなどの当該セッションの課金メッセージを生成することができる。図８は、本発明の例示的な実施形態において、ホームＩＭＳネットワーク１１０で課金メッセージを生成する方法８００を示す流れ図である。方法８００のステップを、図１の通信ネットワーク１００に言及して説明する。図８の流れ図のステップは全てを含むものではなく、図示していない他のステップを含むことができる。
【００４６】
方法８００のステップ８０２において、ネットワーク要素１１２はセッションの課金メッセージを生成する。ホームＩＭＳネットワーク１１０の従来型ネットワーク要素は、ホームＩＣＩＤなどのホーム課金メッセージを課金メッセージに挿入し、ホームＩＭＳネットワーク１１０で生成される他の課金情報も挿入する。方法８００に従い、ステップ８０４において、ネットワーク要素１１２は、ホーム課金識別子を課金メッセージに挿入し、訪問先ＩＭＳネットワーク１２０によって割り当てられた訪問先課金識別子も課金メッセージに挿入する。例えばＤｉａｍｅｔｅｒ  ＡＣＲメッセージにホーム課金識別子および訪問先課金識別子を挿入するため、ホーム課金識別子および訪問先課金識別子用にＡＣＲメッセージに新しいＡＶＰを定めることができる。次いでネットワーク要素１２２は、ＡＣＲメッセージの新しいＡＶＰにホーム課金識別子および訪問先課金識別子を挿入することができる。
【００４７】
ネットワーク要素１１２がホーム課金識別子のために訪問先課金識別子を再利用する場合、それは訪問先課金識別子とホーム課金識別子の両方を表すため、明らかに訪問先課金識別子のみが課金メッセージに挿入される。ネットワーク要素１１２が訪問先課金識別子を再利用する代わりに当該セッションに固有のホーム課金識別子を割り当てる場合、ネットワーク要素１１２はホーム課金識別子および訪問先課金識別子の両方を課金メッセージに挿入する。方法８００はまた、ステップ８０６において、訪問先ＩＭＳネットワーク１２０によって提供される当該セッションの追加課金情報を課金メッセージに挿入する選択的ステップを含むことができる。次いでステップ８０８において、ネットワーク要素１１２は課金メッセージを課金データシステム１１４に送信する。
【００４８】
図９は、本発明の例示的な実施形態において、ホームＩＭＳネットワーク１１０でＣＤＲを生成する方法９００を示す流れ図である。方法９００のステップを、図１の通信ネットワーク１００に言及して説明する。図９の流れ図のステップは全てを含むものではなく、図示していない他のステップを含むことができる。
【００４９】
方法９００のステップ９０２において、課金データシステム１１４はネットワーク要素１１２から１つまたは複数の課金メッセージを受信する。課金データシステム１１４は、図１に示していない他のネットワーク要素から課金メッセージを追加的に受信することができる。次いでステップ９０４において、課金データシステム１１４は、セッションのホームＣＤＲを生成する。ホームＩＭＳネットワーク１１０の従来型課金データシステムは、ホーム課金識別子をホームＣＤＲに挿入し、ホームＩＭＳネットワーク１１０で生成される他の課金情報も挿入する。方法９００に従い、ステップ９０６において、課金データシステム１１４はホーム課金識別子をホームＣＤＲに挿入し、訪問先ＩＭＳネットワーク１２０によって割り当てられた訪問先課金識別子もホームＣＤＲに挿入する。例えばホームＣＤＲにホーム課金識別子および訪問先課金識別子を挿入するために、これらの課金識別子用にＣＤＲに新しいフィールドを定めることができる。次いで、課金データシステム１１４は、ホームＣＤＲの新しいフィールドにホーム課金識別子および訪問先課金識別子を挿入することができる。方法９００はまた、ステップ９０８において、訪問先ＩＭＳネットワーク１２０によって提供される当該セッションの追加課金情報をホームＣＤＲに挿入する選択的ステップを含むことができる。次いでステップ９１０において、課金データシステム１１４はホームＣＤＲを請求システム１１６に送信する。
【００５０】
図１０は、本発明の例示的な実施形態において、訪問先ＩＭＳネットワーク１２０で課金メッセージを生成する方法１０００を示す流れ図である。方法１０００のステップを、図１の通信ネットワーク１００に言及して説明する。図１０の流れ図のステップは全てを含むものではなく、図示していない他のステップを含むことができる。
【００５１】
方法１０００のステップ１００２において、ネットワーク要素１２２はセッションの課金メッセージを生成する。訪問先ＩＭＳネットワーク１２０の従来型ネットワーク要素は、訪問先ＩＣＩＤなどの訪問先課金メッセージを課金メッセージに挿入し、訪問先ＩＭＳネットワーク１２０で生成される他の課金情報も挿入する。方法１０００に従い、ステップ１００４において、ネットワーク要素１２２は、訪問先課金識別子を課金メッセージに挿入し、ホームＩＭＳネットワーク１０によって割り当てられたホーム課金識別子も課金メッセージに挿入する。方法１０００はまた、ステップ１００６において、ホームＩＭＳネットワーク１１０によって提供された当該セッションの追加課金情報を課金メッセージに挿入する選択的ステップを含むことができる。次いでステップ１００８において、ネットワーク要素１２２は課金メッセージを課金データシステム１２４に送信する。
【００５２】
図１１は、本発明の例示的な実施形態において、訪問先ＩＭＳネットワーク１２０でＣＤＲを生成する方法１１００を示す流れ図である。方法１１００のステップを、図１の通信ネットワーク１００に言及して説明する。図１１の流れ図のステップは全てを含むものではなく、図示していない他のステップを含むことができる。
【００５３】
方法１１００のステップ１１０２において、課金データシステム１２４はネットワーク要素１２２から１つまたは複数の課金メッセージを受信する。課金データシステム１２４は、図１に示していない他のネットワーク要素から課金メッセージを追加的に受信することができる。ステップ１１０４において、課金データシステム１２４は当該セッションの訪問先ＣＤＲを生成する。次いでステップ１１０６において、課金データシステム１２４は訪問先課金識別子を訪問先ＣＤＲに挿入し、ホームＩＭＳネットワーク１１０によって割り当てられたホーム課金識別子も訪問先ＣＤＲに挿入する。方法１１００はまた、ステップ１１０８において、ホームＩＭＳネットワーク１１０によって提供された当該セッションの追加課金情報を訪問先ＣＤＲに挿入する選択的ステップを含むことができる。次いでステップ１１００において、課金データシステム１２４は、訪問先ＣＤＲを請求システム１２６に送信する。
【００５４】
図１では、ホームＩＭＳネットワーク１１０の請求システム１１６は、課金データシステム１１４から１つまたは複数のホームＣＤＲを受信する。訪問先ＩＭＳネットワーク１２０の請求システム１２６も、課金データシステム１２４から１つまたは複数の訪問先ＣＤＲを受信する。ホームＩＭＳネットワーク１１０のホームＣＤＲおよび訪問先ＩＭＳネットワーク１２０の訪問先ＣＤＲは同じ課金識別子（例：ホーム課金識別子と訪問先課金識別子の両方）および追加の共有される課金情報を含んでいるため、請求システム１１６および請求システム１２６は、ホームＩＭＳネットワーク１１０および訪問先ＩＭＳネットワーク１２０の両方で生成されたＣＤＲを有利に相関させることができる。その結果、当該セッションでより正確な課金を実現することができる。また、ホームＩＭＳネットワーク１１０および訪問先ＩＭＳネットワーク１２０は追加課金情報を共有できるため、請求システム１１６および１２６はそれぞれ、当該セッションにつき他方の請求システムによる課金を検証することが可能である。
【００５５】
（実施例）
図１２および図１３は、ホームＩＭＳネットワークと訪問先ＩＭＳネットワークとの間で課金情報を共有する例を示している。図１２は、本発明の例示的な実施形態における通信ネットワーク１２００を示している。通信ネットワーク１２００は、起点訪問先ＩＭＳネットワーク１２０２、起点ホームＩＭＳネットワーク１２０４、終点訪問先ＩＭＳネットワーク１２０６および終点ホームＩＭＳネットワーク１２０８を含む。起点訪問先ＩＭＳネットワーク１２０２は、モバイル機器１２１２、無線アクセスネットワーク（ＲＡＮ）１２１４、パケットネットワーク１２１６、Ｐ−ＣＳＣＦ１２１８、課金データ機能（ＣＤＦ）１２１９および請求ドメイン（ＢＤ）１２２０を含む。モバイル機器１２１２はユーザ１２１１によって使用されている。起点ホームＩＭＳネットワーク１２０４は、Ｓ−ＣＳＣＦ１２２２、問い合わせＣＳＣＦ（Ｉ−ＣＳＣＦ）１２２４、ＨＳＳ１２２６、アプリケーションサーバ（ＡＳ）１２２８、ＣＤＦ１２２９および請求ドメイン（ＢＤ）１２３０を含む。終点訪問先ＩＭＳネットワーク１２０６は、モバイル機器１２４２、ＲＡＮ１２４４、パケットネットワーク１２４６、Ｐ−ＣＳＣＦ１２４８、ＣＤＦ１２４９および請求ドメイン（ＢＤ）１２５０を含む。モバイル機器１２４２はユーザ１２４１によって使用されている。終点ホームＩＭＳネットワーク１２０８は、Ｓ−ＣＳＣＦ１２５２、Ｉ−ＣＳＣＦ１２５４、ＨＳＳ１２５６、アプリケーションサーバ（ＡＳ）１２５８、ＣＤＦ１２５９および請求ドメイン（ＢＤ）１２６０を含む。通信ネットワーク１２００は、説明を簡潔にするため図１２に示していない他のノードを含むことができる。
【００５６】
図１３は、本発明の例示的な実施形態において、セッションの起点側でホームＩＭＳネットワークと訪問先ＩＭＳネットワークとの間で課金情報を共有することを示すメッセージ図である。このメッセージ図は、通信ネットワーク１２００内で使用されるＳＩＰおよびＤｉａｍｅｔｅｒメッセージを示している。ユーザ１２１１がユーザ１２４１とのセッション開始を望んでいることを想定している。セッションを開始するため、モバイル機器１２１２はＳＩＰ  ＩＮＶＩＴＥメッセージを生成し、ＩＮＶＩＴＥメッセージをＲＡＮ１２１４およびパケットネットワーク１２１６を介してＰ−ＣＳＣＦ１２１８に送信する。ＩＮＶＩＴＥメッセージの受信に対応して、Ｐ−ＣＳＣＦ１２１８は当該セッションに訪問先ＩＣＩＤを割り当てる。Ｐ−ＣＳＣＦ１２１８は、ＡＮＣＩＤ、ＩＭＳユーザセッションＩＤ、ＩＯＩなどの当該セッションの追加課金情報を生成または識別することができる。次いでＰ−ＣＳＣＦ１２１８は、訪問先ＩＣＩＤおよび追加課金情報をＩＮＶＩＴＥメッセージに挿入する。Ｐ−ＣＳＣＦ１２１８は、訪問先ＩＣＩＤおよび追加課金情報を、ＳＩＰ  ＩＮＶＩＴＥメッセージの課金ベクトルの新しいＡＶＰに挿入することができる。次いでＰ−ＣＳＣＦ１２１８は、ホームＩＭＳネットワーク１２０４のＳ−ＣＳＣＦ１２２２にＩＮＶＩＴＥメッセージを送信する。
【００５７】
ＩＮＶＩＴＥメッセージに対し、Ｓ−ＣＳＣＦ１２２２は、当該セッションのサービス制御を行う。また、Ｓ−ＣＳＣＦ１２２２は、ＩＮＶＩＴＥメッセージを処理して訪問先ＩＣＩＤおよび追加課金情報を識別し保存する。次いでＳ−ＣＳＣＦ１２２２は、ホームＩＭＳネットワーク１２０８および訪問先ＩＭＳネットワーク１２０６を介してユーザ１２４１のモバイル機器１２４２にＩＮＶＩＴＥメッセージを送信する（図１２参照）。実施形態はセッションの起点側で課金情報を共有することを示しているため、セッションの終点側の信号メッセージについては、説明を簡潔にするため省略する。
【００５８】
当該セッションを受け入れるため、モバイル機器１２４２は、Ｓ−ＣＳＣＦ１２２２によって受信されるＳＩＰ２００ＯＫメッセージを送信する。２００ＯＫメッセージに対し、Ｓ−ＣＳＣＦ１２２２は当該セッションにホームＩＣＩＤを割り当てる。Ｓ−ＣＳＣＦ１２２２は、訪問先ＩＣＩＤとは異なる新しいＩＣＩＤを割り当てることができる。あるいは、Ｓ−ＣＳＣＦ１２２２は、訪問先ＩＭＳネットワーク１２０２によって割り当てられた訪問先ＩＣＩＤをホームＩＣＩＤとして再利用することができる。Ｓ−ＣＳＣＦ１２２２は、ホームＩＭＳユーザセッションＩＤ、ホームＩＯＩ、サービス提供開始のタイムスタンプなどの当該セッションの追加課金情報を生成または識別することができる。次いでＳ−ＣＳＣＦ１２２２は、ホームＩＣＩＤおよび追加課金情報を２００ＯＫメッセージに挿入し、訪問先ＩＭＳネットワーク１２０２のＰ−ＣＳＣＦに２００ＯＫメッセージを送信する。
【００５９】
さらに、Ｓ−ＣＳＣＦ１２２２は、当該セッションの開始にあたりＤｉａｍｅｔｅｒ  Ｒｆアカウンティングリクエスト（ＡＣＲ）［ｓｔａｒｔ］メッセージを生成する。Ｓ−ＣＳＣＦ１２２２は、ホームＩＣＩＤおよび訪問先ＩＣＩＤを、訪問先ＩＭＳネットワーク１２０２によって共有される追加課金情報と共にＡＣＲ［ｓｔａｒｔ］メッセージに挿入する。次いでＳ−ＣＳＣＦ１２２２は、Ｓ−ＣＳＣＦ１２２２におけるセッションの開始およびメディアコンポーネントの開始を記録するために、ＡＣＲ［ｓｔａｒｔ］メッセージをホームＣＤＦ１２２９に送信する。ＣＤＦ１２２９はＡＣＲ［ｓｔａｒｔ］メッセージを処理して、ホームＩＣＩＤ、訪問先ＩＣＩＤおよび追加課金情報を識別する。次いでＣＤＦ１２２９は当該セッションのＳ−ＣＳＣＦのＣＤＲを開始する。ＣＤＦ１２２９はまた、ＡＣＲ［ｓｔａｒｔ］メッセージに対してＤｉａｍｅｔｅｒアカウンティング回答（Ａｃｃｏｕｎｔｉｎｇ  Ａｎｓｗｅｒ）（ＡＣＡ）メッセージで応答する。
【００６０】
Ｐ−ＣＳＣＦ１２１８は、Ｓ−ＣＳＣＦ１２２２から２００ＯＫメッセージを受信し、２００ＯＫメッセージを処理してホームＩＣＩＤおよび追加課金情報を識別し保存する。Ｐ−ＣＳＣＦ１２１８は、当該セッションの開始にあたりＤｉａｍｅｔｅｒ  Ｒｆ  ＡＣＲ［ｓｔａｒｔ］メッセージを生成する。Ｐ−ＣＳＣＦ１２１８は、ホームＩＣＩＤおよび訪問先ＩＣＩＤを、ホームＩＭＳネットワーク１２０４によって共有される追加課金情報と共にＡＣＲ［ｓｔａｒｔ］メッセージに挿入する。次いでＰ−ＣＳＣＦ１２１８は、Ｐ−ＣＳＣＦ１２１８におけるセッションの開始およびメディアコンポーネントの開始を記録するために、ＡＣＲ［ｓｔａｒｔ］メッセージを訪問先ＣＤＦ１２１９に送信する。ＣＤＦ１２１９はＡＣＲ［ｓｔａｒｔ］メッセージを処理して、ホームＩＣＩＤ、訪問先ＩＣＩＤおよび追加課金情報を識別する。次いでＣＤＦ１２１９は当該セッションのＰ−ＣＳＣＦのＣＤＲを開始する。ＣＤＦ１２１９はまた、ＡＣＲ［ｓｔａｒｔ］メッセージに対してＤｉａｍｅｔｅｒ  ＡＣＡメッセージで応答する。そして当該セッションは確定され、ユーザ１２１１はユーザ１２４１と通信することができる。
【００６１】
後の時点では、ユーザ１２１１がセッションの終了を望むことを想定している。セッションを終了させるために、モバイル機器１２１２はＳＩＰ  ＢＹＥメッセージをＰ−ＣＳＣＦ１２１８に送信する。Ｐ−ＣＳＣＦ１２１８は、再び当該セッションの課金情報を識別し、課金情報をＢＹＥメッセージに挿入することができる。次いでＰ−ＣＳＣＦ１２１８は、Ｓ−ＣＳＣＦ１２２２にＢＹＥメッセージを送信する。
【００６２】
さらにＢＹＥメッセージに対応して、Ｐ−ＣＳＣＦ１２１８は、Ｐ−ＣＳＣＦのＣＤＲにおけるセッションの終了およびメディアコンポーネントの停止を記録するために、ＡＣＲ［ｓｔｏｐ］をＣＤＦ１２１９に送信する。ＣＤＦ１２１９はＰ−ＣＳＣＦのＣＤＲを終了させ、またＰ−ＣＳＣＦ１２１８に対しＡＣＡメッセージで応答する。Ｐ−ＣＳＣＦのＣＤＲは、ホームＩＣＩＤ、訪問先ＩＣＩＤおよびホームＩＭＳネットワーク１２０４によって共有された追加課金情報を含む。次いでＣＤＦ１２１９はＰ−ＣＳＣＦのＣＤＲを請求ドメイン１２２０に送信する（図１３には示していない）。
【００６３】
Ｓ−ＣＳＣＦ１２２２は、Ｐ−ＣＳＣＦ１２１８からＢＹＥメッセージを受信する。次いでＳ−ＣＳＣＦ１２２２は、ホームＩＭＳネットワーク１２０８および訪問先ＩＭＳネットワーク１２０６を介してユーザ１２４１のモバイル機器１２４２にＢＹＥメッセージを送信する（図１２参照）。Ｓ−ＣＳＣＦ１２２２はまた、Ｓ−ＣＳＣＦのＣＤＲにおけるセッションの終了およびメディアコンポーネントの停止を記録するために、ＡＣＲ［ｓｔｏｐ］をＣＤＦ１２２９に送信する。ＣＤＦ１２２９はＳ−ＣＳＣＦのＣＤＲを終了させ、またＳ−ＣＳＣＦ１２２２に対しＡＣＡメッセージで応答する。Ｓ−ＣＳＣＦのＣＤＲは、ホームＩＣＩＤ、訪問先ＩＣＩＤおよび訪問先ＩＭＳネットワーク１２０２によって共有された追加課金情報を含む。次いでＣＤＦ１２２９は、Ｓ−ＣＳＣＦのＣＤＲを請求ドメイン１２３０に送信する（図１３には示していない）。
【００６４】
モバイル機器１２４２は、セッションの終了を確認してＳ−ＣＳＣＦ１２２２によって受信されるＳＩＰ２００ＯＫメッセージを送信する。Ｓ−ＣＳＣＦ１２２２は、２００ＯＫメッセージをＰ−ＣＳＣＦ１２１８に送信し、Ｐ−ＣＳＣＦ１２１８は２００ＯＫメッセージをモバイル機器１２１２に転送する。これで当該セッションは解除される。
【００６５】
図１２において、ホームＩＭＳネットワーク１２０４の請求ドメイン１２３０は、ＣＤＦ１２２９からＳ−ＣＳＣＦのＣＤＲを受信する。訪問先ＩＭＳネットワーク１２０２の請求システム１２２０は、ＣＤＦ１２１９からＰ−ＣＳＣＦのＣＤＲを受信する。これらのＣＤＲは、同じＩＣＩＤ（例：ホームＩＣＩＤと訪問先ＩＣＩＤの両方）および他の共有される課金情報を含むため、請求ドメイン１２３０および１２２０は、ホームＩＭＳネットワーク１２０４および訪問先ＩＭＳネットワーク１２０２の両方で生成されたＣＤＲを有利に相関させることができる。その結果、当該セッションについてより正確な課金を実現することができる。また、ホームＩＭＳネットワーク１２０４および訪問先ＩＭＳネットワーク１２０２は追加課金情報を共有できるため、それぞれの請求ドメインは、当該セッションにつき他方の請求ドメインによる課金を検証することが可能である。
【００６６】
本明細書では特定の実施形態について説明したが、本発明の範囲はこうした特定の実施形態に限定されない。本発明の範囲は、以下の特許請求の範囲およびその等価物によって定められる。
【図１】
2011501890.tif 000003
【図２】
2011501890.tif 000004
【図３】
2011501890.tif 000005
【図４】
2011501890.tif 000006
【図５】
2011501890.tif 000007
【図６】
2011501890.tif 000008
【図７】
2011501890.tif 000009
【図８】
2011501890.tif 000010
【図９】
2011501890.tif 000011
【図１０】
2011501890.tif 000012
【図１１】
2011501890.tif 000013
【図１２】
2011501890.tif 000014
【図１３】
2011501890.tif 000015
【国際調査報告】
2011501890.tif 000016
2011501890.tif 000017